(57)【要約】      （修正有）【課題】ごぼうの効率的な選別作業を可能にするごぼうハーベスター用アタッチメントを提供する。【解決手段】走行用のタイヤ１４が取り付けられたベース１２と、搬送方向が進行方向と実質的に同一方向になるようにベース上に配置されたロッドコンベアと、規格外品と認定されたごぼうを投入するための規格外品投入ホッパー２４と、規格品と認定されたごぼうを投入するための規格品投入コンテナ２６ａを支持するための規格品投入コンテナ受け台２６とを備え、ロッドコンベアが、油圧シリンダを作動させることにより、後端を支点として前端を上昇させることができるように構成されていることを特徴とするアタッチメント１０が提供される。【選択図】図１
0003157110.tif 000002
【実用新案登録請求の範囲】
【請求項１】
ごぼうの選別作業を行うためのごぼうハーベスター用アタッチメントであって、
走行用のタイヤが取り付けられたベースと、
搬送方向がアタッチメントの進行方向と実質的に同一方向になるようにベース上に配置されたロッドコンベアと、
規格外品と認定されたごぼうを投入するための規格外品投入ホッパーと、
規格品と認定されたごぼうを投入するための規格品投入コンテナを支持するための規格品投入コンテナ受け台とを備え、
前記ロッドコンベアが、油圧シリンダを作動させることにより、後端を支点として前端を上昇させることができるように構成されていることを特徴とするアタッチメント。
【請求項２】
前記規格外品投入ホッパーを傾斜させて、規格外品のごぼうを排出することができるように構成されていることを特徴とする請求項２に記載されたアタッチメント。
【考案の詳細な説明】
【技術分野】
【０００１】
本考案は、ごぼうハーベスター用アタッチメントに関する。より詳細には、本考案は、ごぼうの効率的な選別作業を可能にするごぼうハーベスター用アタッチメントに関する。
【背景技術】
【０００２】
肉質が軟らかく、風味がよい、ごぼうは、日本人の食生活に欠かせない食品のひとつである。ごぼうの収穫は一般的に、ごぼうハーベスターを使用して行われる。従来の典型的なごぼうハーベスターでは、堀り取られたごぼうが、ごぼうハーベスターの後部に配置されたサイドコンベアに載せられる（図６参照）。そして、サイドコンベアを作動させてごぼうをごぼうハーベスターの右方又は左方に移動させ、伴走車に移し変えて選別作業が行われていた。
【考案の開示】
【考案が解決しようとする課題】
【０００３】
しかしながら、従来のごぼうハーベスターで行われる伴走車へのごぼうの移し変えは、足元が悪い中で行われるため、手間がかかるうえ、重労働であるという課題があった。
【０００４】
本考案は、このような現状に鑑みて開発されたものであって、ごぼうの効率的な選別作業を可能にするごぼうハーベスター用アタッチメントを提供することを目的としている。
【課題を解決するための手段】
【０００５】
本願請求項１に記載された、ごぼうの選別作業を行うためのごぼうハーベスター用アタッチメントは、走行用のタイヤが取り付けられたベースと、搬送方向がアタッチメントの進行方向と実質的に同一方向になるようにベース上に配置されたロッドコンベアと、規格外品と認定されたごぼうを投入するための規格外品投入ホッパーと、規格品と認定されたごぼうを投入するための規格品投入コンテナを支持するための規格品投入コンテナ受け台とを備え、前記ロッドコンベアが、油圧シリンダを作動させることにより、後端を支点として前端を上昇させることができるように構成されていることを特徴とするものである。
【０００６】
本願請求項２に記載されたごぼうハーベスター用アタッチメントは、前記請求項１のアタッチメントにおいて、前記規格外品投入ホッパーを傾斜させて、規格外品のごぼうを排出することができるように構成されていることを特徴とするものである。 
【考案の効果】
【０００７】
本考案のごぼうハーベスター用アタッチメントにより、より効率的な選別作業が可能になった。より詳細に説明すると、第１に、従来のシステムでは、ごぼうハーベスターのオペレータと伴走車のオペレータ各１名の他、１〜２名の積み込み作業者が必要であったが、本考案のアタッチメントを使用すると、伴走車のオペレータが不要になるとともに、作業者が圃場を歩く必要がなくなるので、労力の軽減もできる。第２に、ハーベスターのサイドコンベアを取り外すことにより、トラクタのオペレータの作業が軽減され、畝間合わせに専念することができる。第３に、アタッチメントのベース上で選別作業を行うことができるので、ごぼうを、再選別することなく選果場に出荷することができる。
【考案を実施するための最良の形態】
【０００８】
次に図面を参照して、本考案の好ましい実施の形態に係るごぼうハーベスター用アタッチメントについて詳細に説明する。図１は、本考案の好ましい実施の形態に係るごぼうハーベスター用アタッチメントを示した斜視図、図２は、図１のごぼうハーベスター用アタッチメントの側面図、図３は、図１のごぼうハーベスター用アタッチメントの平面図である。図１〜図３において全体として参照符号１０で示される本考案の好ましい実施の形態に係るごぼうハーベスター用アタッチメントは、ほぼ矩形の平面形をもつベース１２を備えている。ベース１２は、鋼材製の枠１２ａと、枠１２ａ間の空間に配置される床材１２ｂによって形成されている。なお、床材１２ｂは、土等が床材上に溜まらないように、エキスパンドメタル等の隙間のある部材を使用するのが好ましい。
【０００９】
ベース１２の進行方向側の端部には、トラクター（図示せず）等に連結するための連結部材１２ｃが取り付けられており、ベース１２の進行方向と反対側の端部の付近には、ごぼうハーベスター用アタッチメント１０の走行用の一対のタイヤ１４が取り付けられている。
【００１０】
ごぼうハーベスター用アタッチメント１０は又、搬送方向が進行方向と実質的に同一方向になるようにベース１２上に配置されたロッドコンベア１６を備えている。ロッドコンベア１６は、後端がベース１２上の一定高さの個所に回転可能に取り付けられており、ロッドコンベア１６に油圧シリンダ１８が連結されている。これにより、油圧シリンダ１８を作動させると、ロッドコンベア１６を、その後端を支点として前端を上昇させることができるようになっている。このように構成することにより、ハーベスターによって堀り取られたごぼうをロッドコンベア１６で受け取る際にロッドコンベア１６の前端の高さを微調整することができるので、ごぼうを確実かつ的確にロッドコンベア１６上に載せることができる。ロッドコンベア１６の昇降は、コントロールバルブ２２のレバー操作によって行われるように構成されている。なお、本明細書において、「前端」とは、進行方向の側に位置するロッドコンベア１６の端部を意味し、「後端」とは、進行方向と反対の側に位置する（すなわち、前端と反対側に位置する）端部を意味している。
【００１１】
ごぼうハーベスター用アタッチメント１０は又、ロッドコンベア１６の作動用のスイッチとなるフットスイッチ２０を備えている。フットスイッチ２０は、手を使わずにオン／オフができるように、ベース１２の床面に配置するのが好ましい。
【００１２】
ごぼうハーベスター用アタッチメント１０は又、規格外品と認定されたごぼうを投入するための規格外品投入ホッパー２４を備えている。好ましくは、規格外品投入ホッパー２４は、内部の規格外品を排出することができるように、傾斜させることができるように構成されている（図５参照）。図５において参照符号２４ａは、規格外品投入ホッパー２４を傾斜させるための油圧シリンダを示している。なお、油圧シリンダ２４ａは、コントロールバルブ２２のレバーの操作によって作動されるように構成しておくのが好ましい。
【００１３】
ごぼうハーベスター用アタッチメント１０は更に、規格品と認定されたごぼうを投入するための規格品投入コンテナ２６ａを支持するための規格品投入コンテナ受け台２６を備えている。
【００１４】
ロッドコンベア１６を作動させるための動力、ロッドコンベア１６を上昇させるための動力、および規格外品投入ホッパー２４を傾斜させるための動力は、ごぼうハーベスター用アタッチメント１０を牽引するトラクタ（図示せず）のフロントローダー用の油圧装置を、ベース１２上に設置されたコントロールバルブ２２を経由して各駆動部（油圧シリンダなど）に連結することによって得られるものを利用するのが好ましい。或いは、トラクタの油圧装置が利用できない場合には、ごぼうハーベスター用アタッチメント１０に発電機と油圧ポンプを搭載して動力源としてもよい。
【００１５】
次に、図４を参照して、以上のように構成された、ごぼうハーベスター用アタッチメント１０の使用の一例について説明する。まず最初に、従来の直装式ごぼうハーベスターの後部のサイドコンベアを取り外し、トラクタの牽引ヒッチ（図示せず）を装着し、これにごぼうハーベスター用アタッチメント１０の連結部材１２ｃを連結する。このような状態でごぼうの収穫作業を行うと、ハーベスターによって堀り取られたごぼうが、ロッドコンベア１６上に搬送される。その際、ロッドコンベア１６の前端の高さを微調整して、ごぼうを確実かつ的確にロッドコンベア１６上に載せるようにする。ロッドコンベア１６上のごぼうが一定量になると、フットスイッチ２０を踏んでロッドコンベア１６を作動させ、
ごぼうをロッドコンベア１６の後部に移動させ、ベース１２の作業箇所１２ｄにいる作業者が、ごぼうが規格品であるか規格外品かを選別して、規格外品投入ホッパー２４又は規格品投入コンテナ２６ａのいずれかにごぼうを投入する。規格外品投入ホッパー２４内のごぼうは、所定の箇所でホッパー２４を傾斜させることによって排出される。規格品投入コンテナ２６ａ内のごぼうが一定量になったら、所定箇所にコンテナ２６ａをおろす。
【００１６】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１７】
たとえば、前記実施の形態では、ベース１２に取り付けられているタイヤ１４は一対のみであるが、二対又は三対のタイヤを取り付けてもよい（規格品投入コンテナ２６ａの長さが１７００mm以上の場合、或いは、パレットを使用する場合には、ベース１２の前後に三対のタイヤを取り付けて、六輪式とするのが好ましい）。
【００１８】
また、図示されているベース１２や、ホッパー２４、コンテナ２６ａの寸法や形状などは、例示的なものにすぎず、図示したもの以外の任意の形状などを採用してもよい。
【図面の簡単な説明】
【００１９】
【図１】本考案の好ましい実施の形態に係るごぼうハーベスター用アタッチメントを示した斜視図である。
【図２】図１のごぼうハーベスター用アタッチメントの側面図である。
【図３】図１のごぼうハーベスター用アタッチメントの平面図である。
【図４】図１のごぼうハーベスター用アタッチメントの使用を模式的に示した図である。
【図５】図１のごぼうハーベスター用アタッチメントの規格外品投入ホッパーの作動を示した図である。
【図６】従来のごぼうハーベスターを示した斜視図である。
【符号の説明】
【００２０】
１０  ごぼうハーベスター用アタッチメント
１２  ベース
１２ａ  枠
１２ｂ  床材
１２ｃ  連結部材
１２ｄ  選別作業箇所
１４  タイヤ
１６  ロッドコンベア
１８  油圧シリンダ
２０  フットスイッチ
２２  コントロールバルブ
２４  規格外品投入ホッパー
２６  規格品投入コンテナ受け台
２６ａ  規格品投入コンテナ
【図１】
0003157110.tif 000003
【図２】
0003157110.tif 000004
【図３】
0003157110.tif 000005
【図４】
0003157110.tif 000006
【図５】
0003157110.tif 000007
【図６】
0003157110.tif 000008